(57)【要約】【課題】配光切替え時における見栄えの変化を抑制する。【解決手段】車両用前照灯１は、車両前方にすれ違い用配光パターンＰLと走行用配光パターンＰHとを個別に形成するものであり、複数のＬＥＤ２，…と、複数のＬＥＤ２，…に対応して設けられて当該複数のＬＥＤ２，…から出射された光を反射させる複数のリフレクタ３，…とを備える。複数のリフレクタ３，…は、すれ違い用配光パターンＰLを形成するための複数の第一リフレクタ３１，…と、走行用配光パターンＰHを形成するための複数の第二リフレクタ３２，…とから構成されている。複数の第一リフレクタ３１，…と複数の第二リフレクタ３２，…とは、所定の配列方向に沿って交互に配列されている。【選択図】図１
2015138734.tif 000002
【特許請求の範囲】
【請求項１】
車両前方に第一配光パターンと第二配光パターンとを個別に形成する車両用前照灯であって、
複数のＬＥＤと、
前記複数のＬＥＤに対応して設けられ、当該複数のＬＥＤから出射された光を前方へ反射させる複数のリフレクタと、
を備え、
前記複数のリフレクタは、
前記第一配光パターンを形成するための複数の第一リフレクタと、前記第二配光パターンを形成するための複数の第二リフレクタとから構成され、
前記複数の第一リフレクタと前記複数の第二リフレクタとが、所定の配列方向に沿って交互に配列されていることを特徴とする車両用前照灯。
【請求項２】
前記複数のリフレクタの前方に配置された素通しのレンズを備えることを特徴とする請求項１に記載の車両用前照灯。
【請求項３】
前記第一配光パターン及び前記第二配光パターンが、主に水平線よりも下側の路面を照らすすれ違い用配光パターンと、水平線よりも上側を含む車両遠方を照らす走行用配光パターンであることを特徴とする請求項１又は２に記載の車両用前照灯。
【発明の詳細な説明】
【技術分野】
【０００１】
本発明は、車両に搭載される車両用前照灯に関する。
【背景技術】
【０００２】
自動車用ヘッドランプなどの車両用前照灯においては、一般に、車両前方に形成するすれ違い用配光パターン（いわゆるロービーム）と走行用配光パターン（いわゆるハイビーム）とを切り替え可能に構成されている。
【０００３】
この種の車両用前照灯は、すれ違い用配光パターンを形成するランプユニットと、走行用配光パターンを形成する他のランプユニットとを備えており、これらのランプユニットを選択的に点灯させることで、すれ違い用配光パターンと走行用配光パターンとを個別に形成可能に構成されている（例えば、特許文献１参照）。
【先行技術文献】
【特許文献】
【０００４】
【特許文献１】特開２００７−１３４０５２号公報
【発明の概要】
【発明が解決しようとする課題】
【０００５】
しかしながら、上記特許文献１に記載の車両用前照灯では、車両前方から見たときに、すれ違い用配光パターンと走行用配光パターンとの２つの配光時で、何れか一方のランプユニットの発光部だけが発光するため、配光切替え時に見栄えが大きく変わってしまう。
【０００６】
本発明は、上記課題を解決するためになされたもので、配光切替え時における見栄えの変化を抑制することができる車両用前照灯の提供を目的とする。
【課題を解決するための手段】
【０００７】
上記目的を達成するために、請求項１に記載の発明は、
車両前方に第一配光パターンと第二配光パターンとを個別に形成する車両用前照灯であって、
複数のＬＥＤと、
前記複数のＬＥＤに対応して設けられ、当該複数のＬＥＤから出射された光を前方へ反射させる複数のリフレクタと、
を備え、
前記複数のリフレクタは、
前記第一配光パターンを形成するための複数の第一リフレクタと、前記第二配光パターンを形成するための複数の第二リフレクタとから構成され、
前記複数の第一リフレクタと前記複数の第二リフレクタとが、所定の配列方向に沿って交互に配列されていることを特徴とする。
【０００８】
請求項２に記載の発明は、請求項１に記載の車両用前照灯において、
前記複数のリフレクタの前方に配置された素通しのレンズを備えることを特徴とする。
【０００９】
請求項３に記載の発明は、請求項１又は２に記載の車両用前照灯において、
前記第一配光パターン及び前記第二配光パターンが、主に水平線よりも下側の路面を照らすすれ違い用配光パターンと、水平線よりも上側を含む車両遠方を照らす走行用配光パターンであることを特徴とする。
【発明の効果】
【００１０】
本発明によれば、第一配光パターンを形成するための複数の第一リフレクタと、第二配光パターンを形成するための複数の第二リフレクタとが、所定の配列方向に沿って交互に配列されているので、何れの配光パターンが形成されているときにも、複数のリフレクタがその配列方向に沿って長尺に発光している見栄えとすることができる。したがって、配光切替え時における見栄えの変化を抑制することができる。
【図面の簡単な説明】
【００１１】
【図１】実施形態における車両用前照灯の要部の正面図である。
【図２】実施形態における車両用前照灯の要部の斜視図である。
【図３】図１のIII−III線での断面図である。
【図４】図１のIV−IV線での断面図である。
【図５】図１のＶ−Ｖ線での断面図である。
【図６】実施形態における車両用前照灯が前方の仮想スクリーン上に形成する（ａ）すれ違い用配光パターンを示す図であり、（ｂ）走行用配光パターンを示す図である。
【発明を実施するための形態】
【００１２】
以下、本発明の実施形態について、図面を参照して説明する。
図１及び図２は、本実施形態における車両用前照灯１の要部の正面図及び斜視図であり、図３〜図５は、図１のIII−III線〜Ｖ−Ｖ線での断面図であり、図６は、車両用前照灯１が車両前方に形成する配光パターンを示す図である。
【００１３】
車両用前照灯１は、図示しない車両の前部左側端に搭載されるヘッドランプであり、車両の前部右側端に搭載される同様の構成のものと協働して、車両前方にすれ違い用配光パターンＰL（いわゆるロービーム；図６（ａ）参照）と走行用配光パターンＰH（いわゆるハイビーム；図６（ｂ）参照）とを個別に形成するものである。
なお、以下の説明において、「前」「後」「左」「右」「上」「下」との記載は、特に断りのない限り、車両用前照灯１から見た方向、すなわち、当該車両用前照灯１が搭載される図示しない車両から見た方向を意味するものとする。
【００１４】
具体的には、図１及び図２に示すように、車両用前照灯１は、光源である複数のＬＥＤ（発光ダイオード）２，…と、この複数のＬＥＤ２，…からの光を反射させる複数のリフレクタ３，…とを備えている。
このうち、複数のＬＥＤ２，…は、左方に向かってやや斜め上方かつ斜め後方へ傾斜した方向に沿って配列されている。各ＬＥＤ２は、下方へ光を出射させるように発光面を下方へ向けた状態で基板２１の下面に実装されている。
【００１５】
複数のリフレクタ３，…は、複数のＬＥＤ２，…と対応しており、当該複数のＬＥＤ２，…の配列方向に沿って同様に配列されつつ、各リフレクタ３が対応するＬＥＤ２の下方に位置するように設けられている。また、複数のリフレクタ３，…は、左右方向に互いに重なることなく配列されており、それぞれの前面（反射面）が前方に露出している。各リフレクタ３は、図３〜図５に示すように、前方斜め上方へ開口する湾曲板状に形成され、対応するＬＥＤ２の下方を覆うように配置されている。各リフレクタ３の前面は、対応するＬＥＤ２から出射された光を前方へ反射させる反射面となっており、本実施形態では、対応するＬＥＤ２の位置を焦点とする放物面状に形成されている。
【００１６】
また、複数のリフレクタ３，…は、すれ違い用配光パターンＰLを形成するための複数の第一リフレクタ３１，…と、走行用配光パターンＰHを形成するための複数の第二リフレクタ３２，…とから構成されている。これら複数の第一リフレクタ３１，…及び複数の第二リフレクタ３２，…は、その配列方向に沿って交互に配列されている。また、第二リフレクタ３２は、第一リフレクタ３１よりもやや小さく形成されている。
【００１７】
以上の構成を具備する車両用前照灯１では、複数のＬＥＤ２，…のうち、複数の第一リフレクタ３１，…に対応するものが点灯されると、その出射光が複数の第一リフレクタ３１，…の前面で反射されて前方へ照射され、図６（ａ）に示すように、主に水平線Ｈよりも下側が照らされたすれ違い用配光パターンＰLが形成される。したがって、このときには、複数の第一リフレクタ３１，…の前面（反射面）が発光している。なお、本実施形態では、複数の第一リフレクタ３１，…は、それぞれがすれ違い用配光パターンＰLのうちの互いに異なる領域を形成するようになっている。
【００１８】
一方、複数のＬＥＤ２，…のうち、複数の第二リフレクタ３２，…に対応するものが点灯されると、その出射光が複数の第二リフレクタ３２，…の前面で反射されて前方へ照射され、図６（ｂ）に示すように、水平線Ｈよりも上側を含む車両遠方が照らされた走行用配光パターンＰHが形成される。したがって、このときには、複数の第二リフレクタ３２，…の前面（反射面）が発光している。なお、本実施形態では、複数の第二リフレクタ３２，…は、それぞれが走行用配光パターンＰHのうちの互いに異なる領域を形成するようになっている。
【００１９】
以上のように、本実施形態の車両用前照灯１によれば、すれ違い用配光パターンＰLを形成するための複数の第一リフレクタ３１，…と、走行用配光パターンＰHを形成するための複数の第二リフレクタ３２，…とが、所定の配列方向に沿って交互に配列されているので、何れの配光パターンが形成されているときにも、複数のリフレクタ３，…がその配列方向に沿って長尺に発光している見栄えとすることができる。したがって、配光切替え時における見栄えの変化を抑制することができる。
【００２０】
なお、本発明を適用可能な実施形態は、上述した実施形態に限定されることなく、本発明の趣旨を逸脱しない範囲で適宜変更可能である。
【００２１】
例えば、複数のリフレクタ３，…の前方にほぼ素通しのインナーレンズを設けてもよい。このように構成すれば、複数のリフレクタ３，…から広がりをもって前方へ反射された光がインナーレンズを透過するため、このインナーレンズの前面は、複数のリフレクタ３，…の前面（反射面）よりも広い面積で光ることとなる。したがって、配光切替え時における見栄えの変化をより確実に抑制することができる。
【００２２】
また、複数の第二リフレクタ３２，…は、走行用配光パターンＰH全体を形成するのではなく、当該走行用配光パターンＰHのうち、主に水平線Ｈよりも上側が照らされた上部付加配光だけを形成するものとしてもよい。そして、全てのＬＥＤ２，…を点灯させて、複数の第二リフレクタ３２，…による上部付加配光を、複数の第一リフレクタ３１，…によるすれ違い用配光パターンＰLに重畳させることによって、走行用配光パターンＰHを形成させてもよい。
【符号の説明】
【００２３】
１        車両用前照灯
２        ＬＥＤ
３        リフレクタ
３１    第一リフレクタ
３２    第二リフレクタ
ＰH       走行用配光パターン
ＰL       すれ違い用配光パターン
【図１】
2015138734.tif 000003
【図２】
2015138734.tif 000004
【図３】
2015138734.tif 000005
【図４】
2015138734.tif 000006
【図５】
2015138734.tif 000007
【図６】
2015138734.tif 000008